(57)【要約】【課題】カムピースとシャフトとの軸心ずれを抑えることのできるカムシャフトの組み付け方法を提供する。【解決手段】カム山を有したカムピース３０を中空状のシャフト２０に隙間嵌めして接着剤にて接着するカムシャフトの組み付け方法であって、シャフト２０においてカムピース３０が接着される部位には、シャフト２０の軸心を対象の中心として点対称になる複数の貫通孔２１を形成する。そして、カムピース３０とシャフト２０との接着時には、シャフト２０の内部に接着剤を一定圧力にて流し込む。【選択図】図３
2015137711.tif 000002
【特許請求の範囲】
【請求項１】
カム山を有したカムピースを中空状のシャフトに隙間嵌めして接着剤にて接着するカムシャフトの組み付け方法であって、
前記シャフトにおいて前記カムピースが接着される部位には、前記シャフトの軸心を対象の中心として点対称になる複数の貫通孔を形成し、前記カムピースと前記シャフトとの接着時には、前記シャフトの内部に前記接着剤を一定圧力にて流し込む
ことを特徴とするカムシャフトの組み付け方法。
【発明の詳細な説明】
【技術分野】
【０００１】
本発明は、カムシャフトの組み付け方法に関する。
【背景技術】
【０００２】
内燃機関等に使用されるカムシャフトについて、カム山を有するカムピースとシャフトとを別部材で構成して組み付けるようにしたものが知られている。
例えば特許文献１に記載のカムシャフトでは、孔の空いたカムピースをシャフトに隙間嵌めし、カムピースとシャフトとを接着剤で接着するようにしている。
【先行技術文献】
【特許文献】
【０００３】
【特許文献１】実開昭５８−７５９０３号公報
【発明の概要】
【発明が解決しようとする課題】
【０００４】
ところで、接着剤に塗りむらがあったり、接着剤が硬化する前にカムピースやシャフトが自重にて重力方向に変位したりすると、カムピースとシャフトの軸心（回転中心）がずれてしまうおそれがある。
【０００５】
本発明はこうした実情に鑑みてなされたものであり、その目的は、カムピースとシャフトとの軸心ずれを抑えることのできるカムシャフトの組み付け方法を提供することにある。
【課題を解決するための手段】
【０００６】
上記課題を解決するカムシャフトの組み付け方法は、カム山を有したカムピースを中空状のシャフトに隙間嵌めして接着剤にて接着するカムシャフトの組み付け方法であって、シャフトにおいてカムピースが接着される部位には、シャフトの軸心を対象の中心として点対称になる複数の貫通孔を形成する。そして、カムピースとシャフトとの接着時には、シャフトの内部に接着剤を一定圧力にて流し込むようにしている。
【０００７】
同方法によれば、シャフト内部に流し込まれた接着剤は、複数の貫通孔を介してカムピースとシャフトとの間の隙間に流れ出る。ここで、複数の貫通孔は、シャフトの軸心を対象の中心として点対称となるように形成されている。そのため、シャフトの軸心を対象の中心として互いに対向する貫通孔においては、カムピースとシャフトとの間の隙間に流れ出る接着剤の圧力は互いに均一であって、かつ接着剤の圧力が作用する方向は互いに逆となる。従って、互いに対向する貫通孔から流れ出る接着剤の圧力によって、カムピースとシャフトとの間の隙間は、シャフトの周方向において均一となり、接着剤の層は均等な厚さにて形成される。従って、カムピースとシャフトとの軸心ずれを抑えることができるようになる。
【図面の簡単な説明】
【０００８】
【図１】カムシャフトの斜視図。
【図２】図１のＤＡ−ＤＡ線に沿った断面図。
【図３】カムシャフトの軸方向に沿った部分断面図。
【発明を実施するための形態】
【０００９】
以下、カムシャフトの組み付け方法にかかる一実施形態について、図１〜図３を参照して説明する。
図１に示すように、カムシャフト１は、カム山を有する複数のカムピース３０と、中空状であって両端が開口されているシャフト２０とで構成されている。カムピース３０は、シャフト２０の軸方向における所定の接着位置にて、接着剤で接着されている。
【００１０】
図２に示すように、カムピース３０には、シャフト２０を挿入する孔３１が設けられている。孔３１の直径は、シャフト２０の外径よりもやや大きくされており、カムピース３０とシャフト２０とは隙間嵌めされた状態で接着剤にて接着されている。
【００１１】
シャフト２０の周方向であってカムピース３０が接着される部位には、シャフト２０の軸心を対象の中心として点対称になる４つの貫通孔２１が形成されている。本実施形態では、シャフト２０の周方向において９０°毎に貫通孔２１が形成されており、各貫通孔２１は、シャフト２０の中心に向かって径方向に対向している。また、各貫通孔２１の径は全て同じにされている。
【００１２】
次に、カムピース３０をシャフト２０に組み付ける方法を説明する。
図３に示すように、まず、カムピース３０の孔３１にシャフト２０を挿入し、シャフト２０において予め設定されている接着位置にてカムピース３０が保持されるように治具５０にてカムピース３０を狭持する。
【００１３】
次に、シャフト２０の両端から同シャフト２０の内部に向けて接着剤を一定の圧力で流し込む。
シャフト２０の内部に流し込まれた接着剤は、貫通孔２１を介してカムピース３０の孔３１とシャフト２０の外周面との間の隙間に流れ出るため、こうして流れ出た接着剤や隙間に充填された接着剤を熱風等で固化させる。
【００１４】
次に、接着剤が固化した後で、レーザ溶接等によりカムピース３０とシャフト２０とを強固に接合して、カムピース３０とシャフト２０との組み付けを完成させる。
上記組み付け方法によれば、次の作用が得られる。
【００１５】
上述したように、カムピース３０とシャフト２０とは隙間嵌めにされているため、シャフト２０の内部に流し込まれた接着剤は、複数の貫通孔２１を介してカムピース３０とシャフト２０との間の隙間に流れ出る。
【００１６】
ここで、各貫通孔２１は、シャフト２０の軸心を対象の中心として点対称となるように形成されている。そのため、シャフト２０の軸心を対象の中心として互いに対向する貫通孔２１においては、カムピース３０とシャフト２０との間の隙間に流れ出る接着剤の圧力は互いに均一であって、かつ接着剤の圧力が作用する方向は互いに逆となる。従って、互いに対向する貫通孔２１から流れ出る接着剤の圧力によって、カムピース３０とシャフト２０との間の隙間は、シャフト２０の周方向において均一となり、接着剤の層は均等な厚さにて形成される。こうした作用により、カムピース３０とシャフト２０との軸心ずれが抑えられる。
【００１７】
なお、シャフト２０にカムピース３０を組み付ける方法として、圧入や焼き嵌めなども考えられる。しかし、こうした方法では、シャフト２０とカムピース３０とのクリアランス管理を厳密に行う必要があり、高い加工精度も要求される。一方、本実施形態では、シャフト２０にカムピース３０を隙間嵌めするようにしているため、厳密なクリアランス管理や高い加工精度を必要としない。そのため、シャフト２０やカムピース３０を容易に加工することができる。ここで、そうした隙間嵌めでは、上述したようにカムピース３０とシャフト２０との軸心ずれ（カムピース３０の回転中心とシャフト２０の回転中心とのずれ）が起きやすくなるが、本実施形態では、上記組み付け方法を採用しているため、カムピース３０とシャフト２０との軸心ずれが抑えられる。
【００１８】
以上説明した本実施形態によれば、次の効果を得ることができる。
（１）シャフト２０の軸心を対象の中心として点対称となる複数の貫通孔２１を形成している。そして、カムピース３０とシャフト２０とを接着するときには、シャフト２０の内部に接着剤を一定圧力にて流し込むようにしている。そのため、カムピース３０とシャフト２０との間の隙間は、シャフト２０の周方向において均一となり、接着剤の層は均等な厚さにて形成される。従って、カムピース３０とシャフト２０との軸心ずれを抑えることができるようになる。
【００１９】
（２）シャフト２０にカムピース３０を隙間嵌めするようにしているため、厳密なクリアランス管理や高い加工精度を必要としない。そのため、シャフト２０やカムピース３０を容易に加工することができる。
【００２０】
なお、上記実施形態は、以下のように変更して実施することもできる。
・シャフト２０の周方向に貫通孔２１を４つ設けるようにしたが、貫通孔２１の数はこれに限定されるものではない。要は、シャフト２０の軸心を対象の中心として点対称になる偶数個の貫通孔を設けるようにすればよい。
【００２１】
・接着剤をシャフト２０の両端から流し込むようにした。この他、シャフト２０の一方の端部をキャップなどで閉塞し、シャフト２０の他方の端部から接着剤を流し込むようにしてもよい。
【００２２】
・接着剤をシャフト２０の端部から流し込むようにした。この他、シャフト２０において上記接着位置以外の部位に貫通孔を設け、この貫通孔から接着剤を流し込むようにしてもよい。つまり、シャフト２０の端部からではなく、外周面から接着剤を流し込むようにしてもよい。
【００２３】
・接着剤が固化した後、レーザ溶接等によりカムピース３０とシャフト２０とを強固に接合するようにした。この他、接着剤によってカムピース３０とシャフト２０とを強固に接合させることが可能な場合には、そうしたレーザ溶接等の加工工程を省略し、接着剤の固化完了によってカムピース３０とシャフト２０との組み付けを完成させるようにしてもよい。
【符号の説明】
【００２４】
１…カムシャフト、２０…シャフト、２１…貫通孔、３０…カムピース、３１…孔、５０…治具。
【図１】
2015137711.tif 000003
【図２】
2015137711.tif 000004
【図３】
2015137711.tif 000005